(57)【特許請求の範囲】
【請求項１】
自転車ハンドルバー前方、且つ、自転車前輪カバー上に配置し、開閉口が自転車の運転者側（ハンドルバー側）に向いた、深さの有る底ボックスと、やや深さ有る上蓋とで構成され、木材・プラスチック等の適当な強度を有する材料から作製され、ボックス形状で各面を板状としたワンタッチボックスロック付幅広蓋付施錠防犯強化自転車用収容ボックスであって、該自転車用収容ボックスは、Ａ３サイズの書類入れ、あるいは大型パソコンバッグを十分収容可能な横幅の長さを持ち、かつ上蓋を底ボックスの後方上端にトルクヒンジによって留め、トルクヒンジにより、収容ボックス前方から収容ボックスの後方に開閉するために回動可能となっており、トルクヒンジにはその開閉の安全性をより高め、上蓋の急激な落下防止確保のためフリーストップステーを取付け、収容ボックスを施錠するため専用鍵により施錠可能なワンタッチボックスロックを設け、上蓋天蓋中央に設けた貫通孔に、上蓋内側のみに開閉操作でき内側からロック可能なロック蝶番で留めた二枚の小扉板による観音式開閉扉を設けていることを特徴とする幅広蓋付施錠防犯強化自転車用収容ボックス。
【請求項２】
上蓋天蓋前面に、ナス環のように物を掛けると開閉部がバネで自動的に閉じ、掛けたものが外れにくいウォールフックを設置していることを特徴とする、請求項１に記載の幅広蓋付施錠防犯強化自転車用収容ボックス。
【請求項３】
底ボックスの上縁部内側に、底ボックスより一段高い位置に防水・防塵対策用のパッキン又は樹脂プレートを貼り付けているのを特徴とする、請求項１または２に記載の幅広蓋付施錠防犯強化自転車用収容ボックス。
【請求項４】
本発明は、底ボックス底面隅に、水はけ・換気の役目を果たす、やや大き目の丸穴をくり抜いているのを特徴とする、請求項１乃至３のいずれかに記載の幅広蓋付施錠防犯強化自転車用収容ボックス。
【発明の詳細な説明】
【技術分野】
【０００１】
本発明は、二輪自転車の前輪上に設置する開閉口が運転者側（ハンドルバー側）に向いた立方体の蓋付収容ボックスで、底ボックスに対し施錠可能な上蓋を持ち、上蓋中央に内側からのみ開閉操作できる観音式開閉扉を設けて長尺部分を有する荷物の先端を出せるようにし、男性用のビジネスバッグでも入り切る横幅を持たせ、上蓋を閉め施錠して走行可能な、セキュリティー強化の幅広蓋付施錠防犯強化自転車用収容ボックスに関し、上蓋前面にはウォールフックを設置して大きく滑りやすい荷物でも運ぶことを可能とするセキュリティー強化の幅広蓋付施錠防犯強化自転車用収容ボックスに関する。
【背景技術】
【０００２】
従来のバスケット型の前かごは、概して網目状や格子で出来ており深さは或る程度十分と言えるが、下すぼりで横幅が狭く、ほんの一部のものを除いて殆どの前かごタイプには蓋がない分施錠はできず、ひったくり・置き引きに無防備で、雨水対策には全く無配慮のため、雨が降った日には荷物が濡れてしまうなどの多くの構造上の難点があった。しかしながら、下記のような決定的な６つの欠点をも有しているのである。
【０００３】
先ず１つ目は、商店街などで買い物をした場合、置き引きに遭わない為には別の店で購入した全部の荷物を持ったり腕に抱えたりして新たな店に入らねばならなかった。そんな場合、店の人に大荷物を持っていることで万引き犯に間違えられる可能性も無くはないし、荷物が大きく重いため疲れが出て来て仕方なく、荷物を蓋ある自転車前かごに収納しておいて施錠して、別の店で手ぶらで買い物を続けることが出来たらどんなにか楽であろうに…という、多くの主婦が切望している現状が全く解決されていない。
【０００４】
２つ目は、自転車で通勤・通学する場合、大き目の鞄が真っ直ぐ入り切らない従来の下すぼりのバスケット形状の自転車前かごでは、無理やり押し込んだ場合、大事な高価な鞄の４隅に破れや傷が出来易く、破れが人の目に触れると、見っともなく、恥さらしであるため、購入する羽目になり費用が嵩み、不経済であった。
【０００５】
３つ目は、バスケット型の前かご用に一部蓋付のものが既に製品化され実際に販売されているし、警視庁などが配っている覆いネットや、前かごをすっぽり包み込む布製の巾着型の覆いもオプションとして売られているが、総じて、蓋や覆いなどは平らで高さがなく、しかも、蓋の開閉口が大抵進行方向側なので管理が難しかった。
【０００６】
４つ目は、バスケット型の自転車前かごに入れた物の中で背丈のある商品（一例を示すと、年末に銀行からもらったカレンダー）や物品を自転車かごに乗っけて運ばねばならない場合があり、そんな時、平らな上蓋や平らなネット状の覆いでは高さに限界があるので、バスケット型の自転車前かごの中で無理矢理折り曲げねばならないし、もし折れ曲がらない物や折り曲げたくない物の場合、ネット状の覆いは取っ払い、自転車前かごに設置されている高さのない平らな上蓋は開けっぱなしで走行するようになり、そうするなら、折角の平たい覆いネットや平たい上蓋（特開２００８−３０８１４４、特開２００１−３１０７７９、実登３０８９７５１等）では、役目不足で意味をなさなかった。
【０００７】
５つ目は、従来のバスケット型の自転車前かごでは、スーパーで買った食料品等を乗せると、その後で受け取ったクリーニンング済みの洋服を入れた滑りやすく重心が移動し易い大袋は置く場所がないため、自転車のハンドルバーにぶら下げて運ばねばならず、危険であった。
【０００８】
大雨の日、大事な荷物をナイロンかビニールか何かで上を覆って走行したとしても、前かごは素材が網目状であったり、金製の格子があったりするので、隙間だらけなので、横から雨が入り荷物は濡れるのであった。結局、従来の前かごでは雨ざらしなのである。    
【先行技術文献】
【特許文献】
【０００９】
【特許文献１】特開２００３−２２６２７９                特開２００４−５１０６９Ａ特開２００５−１１９３９３                特開２００７−５０８７０Ａ                特開２００８−３０８１４４                特開２００１−３１０７７９                実登３０８９７５１
【発明の概要】
【発明が解決しようとする課題】
【００１０】
本発明は、以上のような従来の欠点に鑑み、施錠付なので買った荷物を一時ボックスに収容して自転車から離れ別の店で手ぶらで買物を続行することができ、横幅が十分ある立方体の収容ボックスにすることでカバン等の荷物を入れた場合でも破れたり傷ついたりすることなく、また長尺部分を持つ荷物でもボックス本体を施錠状態で折ることなく収納可能とし、取っ手部分を有する場合であっても天蓋の開閉扉から出したまま収容可能にした幅広蓋付施錠防犯強化自転車用収容ボックスを提供することを目的とする。
さらに、柔らかく滑りやすく袋の中で重心が移動し易い荷物をフックに引っ掛けて固定させて安全に運べるようにした（特開２００４−５１０６９Ａの考案をより一層発展させた）、幅広蓋付施錠防犯強化自転車用収容ボックスを提供することを目的とする。
さらに、上蓋と底ボックスの当接部分から雨水が入り込まないように底ボックスの内側に一段高い防水・防塵用のパッキンを貼り付け雨水から荷物を保護できるようにした幅広蓋付施錠防犯強化自転車用収容ボックスを提供することを目的とする。
【課題を解決するための手段】
【００１１】
上記目的を達成するために、本発明は、以下の幅広蓋付施錠防犯強化自転車用収容ボックス（以下に、略して、「収容ボックス」ともいう」を提供する。
（１）即ち、本発明は、やや深さある上蓋付で施錠が可能、自転車ハンドルバー前方、且つ、自転車前輪カバー上に配置し、開閉口が自転車の運転者側（ハンドルバー側）に向いた、深さの有る底ボックスと、やや深さの有る上蓋とで構成され、木材・プラスチック等の適当な強度を有する材料から作製され、ボックス形状で各面を板状としたワンタッチボックスロック付幅広蓋付施錠防犯強化自転車用収容ボックスであって、該自転車用収容ボックスは、Ａ３サイズの書類入れ、あるいは大型パソコンバッグを十分収容可能な横幅の長さを持ち、かつ上蓋を底ボックスの後方上端にトルクヒンジによって留め、トルクヒンジにより、収容ボックス前方から収容ボックスの後方に開閉するために回動可能となっており、トルクヒンジにはその開閉の安全性をより高め、上蓋の急激な落下防止確保のためフリーストップステーを取付け、収容ボックスを施錠するため専用鍵により施錠可能なワンタッチボックスロックを設け、上蓋天蓋中央に設けた貫通孔に、上蓋内側のみに開閉操作でき内側からロック可能なロック蝶番で留めた二枚の小扉板による観音式開閉扉を設けていることを特徴とする幅広蓋付施錠防犯強化自転車用収容ボックスに関する。
さらに、本発明の好適な実施態様として以下のものを提供する。
（２）上蓋天蓋前面に、ナス環のように物を掛けると開閉部がバネで自動的に閉じ、掛けたものが外れにくいウォールフックを設置していることを特徴とする、（１）に記載の幅広蓋付施錠防犯強化自転車用収容ボックス。
（３）底ボックスの上縁部内側に、底ボックスより一段高い位置に防水・防塵対策用のパッキン又は樹脂プレートを貼り付けているのを特徴とする、（１）または（２）に記載の幅広蓋付施錠防犯強化自転車用収容ボックス。
（４）底ボックス底面隅に、水はけ・換気の役目を果たす、やや大き目の丸穴をくり抜いているのを特徴とする、（１）乃至（３）のいずれかに記載の幅広蓋付施錠防犯強化自転車用収容ボックス。
【００１２】
本発明は、先ず、上記（１）に記載した通り、従来のバスケット型前かご同様、自転車ハンドルバー前方、且つ、自転車前輪カバー上に配置し、木材・プラスチック等の適当な強度を有する材料から作製されるボックス形状の蓋付収容ボックスを提供する。開閉口が自転車の運転者側（ハンドルバー側）に向いた深さの有る底ボックスと、やや深さの有る上蓋とで構成され、開閉口側は「収容ボックスの前方」と言いハンドルバー側であるので進行方向側とは反対の向きであり、トルクヒンジで留める側は「収容ボックスの後方」であって自転車進行方向側となる。底ボックスと上蓋が接合・当接する部分の形状であるが、「収容ボックスの前方」と「収容ボックスの後方」は直線であるが、両側面部は図面にあるように、優雅な曲線ラインを描くように形成することができる。その曲線ラインによって、収容ボックスの後方では、底ボックスは深く上蓋は浅く、収容ボックスの前方に行くにつれて、底ボックスの高さは浅くなり上蓋は深さを増している。従来のバスケット型前かごは殆どがメッシュや格子で作製されており、色も限定されていて黒・白・シルバー・茶系が主であったが、本発明は、ボックス型で各面は板状であるので、女性好みのパステルカラー、特にピンクなどの単一な色付けをしたり、底ボックスと上蓋をツートンカラーにしたり、収容ボックスの後方背面に薔薇などのワンポイント花模様や、公序良俗な上品な絵柄を描いても良いこととし、収容ボックス背面のトルクヒンジ裏側（進行方向）辺りには暗闇で光る塗料を塗ることで、細く暗い道で出合う対向自転車や歩行者に自分の位置を知らせて、起こり得る接触事故を未然に防ぐ配慮を施した仕様とで、幅広蓋付施錠防犯強化自転車用収容ボックスを構成している。
【００１３】
本発明は、上記（１）に記載した通り、横幅方向の長さのある収容ボックスを作製する事とする。自転車で通勤・通学する場合、大き目の鞄が真っ直ぐ入り切らない従来のバスケット型の自転車前かごでは、横幅の長さが短かったり下すぼりのためバッグは入り切らないばかりか、無理やり押し込んだ場合に、大切な高価な鞄の４隅に破れや傷が出来易く、実際、人目に触れると、見っともなく、恥さらしとなった。止むを得ず横幅のある女性用のトートバッグなどは、左右のいずれかを下にして横向きにして入れると、いつの間にか時間の経過と共に、また、スピードの出具合によって、中身が出てきて、挙句の果て、前かごから地面に落ちるのである。急ぐとき、降りて、左ハンドルの先を一方の手で持って他方の手で地面に落ちた荷物をさっと拾うとすると微妙に動くハンドルバーと連動して動く後輪の重みによってバランスが崩れ、自転車が右側に転倒して危険な目に遭遇しそうになる。そんなことを回避・改善するために、Ａ３サイズの書類入れとか、男性用の18.4型ワイドノートパソコンに対応した大型パソコンバッグでも十分収容可能な横幅の長さを持つものとして、上記（１）に記載した幅広蓋付施錠防犯強化自転車用収容ボックスとで構成している。  
【００１４】
本発明は、上記（１）に記載した通り、収容ボックスの後方、底ボックスと上蓋を留める金具は、トルクヒンジとフリーストップステーであり一般蝶番は用いない。本発明は、ボックス状の箱型の収容ボックスなので、上蓋の開閉時、上蓋が強風・突風に煽られて突然落下して来たり、荷物収容時、他人や、偶々傍にいる頑是ない子供によって上蓋を押され、上蓋が勢いよくバタンと閉まり、指や手全体が挟まって怪我をしたりするのを回避するため、底ボックスと上蓋の後方接合部分に使う金具は、ただ留めておくだけの一般蝶番ではなく、ネジがボックスの内部に来るタイプの公知公用の、任意の角度で緩やかに安全に開閉するトルクヒンジやソフトダウンヒンジ等を使い、更にトルクヒンジでの開閉の安全性を一段と高め上蓋の急激な落下防止確保のために、こちらも公知公用の、スプリングステーやストップステー等を（右側は荷物の出し入れ時邪魔になるから）左側のみに設置することとして、上記（１）に記載した幅広蓋付施錠防犯強化自転車用収容ボックスとで構成している。
【００１５】
本発明は、上記（１）において、施錠は公知公用のワンタッチボックスロックとする。この施錠金具は底ボックスと上蓋を当接させ上蓋を閉めると簡易ロックされ、ボタンをワンプッシュするとキーパーが浮き上がりロックが解除されるという鍵で、荷物の出し入れを頻繁にする場合、上蓋の開閉が簡易で便利であると共に、別の店での買い物を続行する場合など、大事な私物・荷物を収容ボックスに入れたまま専用鍵により施錠して自転車から離れる事が出来るので置き引き被害に遭わなくて済み、走行中は背後から忍び寄って来るひったくりからも守られるセキュリティーが確実の幅広蓋付施錠防犯強化自転車用収容ボックスとで構成している。
【００１６】
本発明は、上記（１）に記載した通り、上蓋天蓋中央の貫通孔に、ボックスの内部からしか開閉操作が出来ず、内側にのみ開くことのできる観音式開閉扉を設けて、収容ボックスの中に入る大きさではあっても背丈が収容ボックス以上であり、全く折り曲げられない荷物・折り曲げたくない荷物、実例で言うと、バッグの長い取っ手等の長尺部分、長丈ある野菜の先端部分がそれに当たり、財布入りのバンドバッグや野菜をボックス内に収容し施錠し、その長い取っ手や先端を、開いた観音式開閉扉から出し、安心且つ安定走行が可能となる。この観音式開閉扉を内側に向かって開閉させる金具は公知公用のロック蝶番であるが、内側に、例えば、０度・９０度・１８０度の３段階に開く金具とすることができる。手前の小扉板と向うの小扉板が其々０度で扉が閉まった状態が先ず基本にあり、その他に、向うの小扉板だけが９０度のみ開いた場合、１８０度開いた場合、手前の小扉板のみが９０度開いた場合、１８０度開いた場合、両方が９０度に開いた場合、１８０度開いた場合と６種類の使い方が出来る。つまり、収容ボックスの中に収容した物の位置や大きさや形によって、向うの小扉板のみ開くか、手前の小扉板側のみ開くか、両方を開くかを選べる仕様となっている、上記（１）に記載した幅広蓋付施錠防犯強化自転車用収容ボックスとで構成している。
【００１７】
本発明は、上記（２）に記載した通り、上蓋天蓋の前面に公知公用のウォールフックを設置させる。本発明が上記（１）の特徴を持ち、幅広の収容ボックスで、長丈の先端を出せる開閉扉を持つものであるとしても、収容ボックスには入り切らず先端を出す類のものではない荷物、実例で言えば、クリーニング済みの平たく柔らかく滑りやすく重心が定まらない衣類などを入れた大袋を自転車に積んで持ち帰らねばならない場合があり、これを自転車に積んで安全に走行する方法は、本発明の上記（１）の特徴、つまり、しっかりしたボックス状の収容ボックスであるからこそ、そういう類の大袋を引っ掛けられるウォールフックを設置することにした上記（１）の幅広蓋付施錠防犯強化自転車用収容ボックスとしている。
【００１８】
本発明は、上記（３）に記載した通り、防水・防塵対策用のパッキン又は樹脂プレートを底ボックス内側に貼り付けることで、荷物を雨水から守り、埃も入り難いよう工夫配慮した、上記（１）の幅広蓋付施錠防犯強化自転車用収容ボックスとしている。
【００１９】
本発明は、上記（４）に記載した通り、例えば、水はけ・換気の役目を果たす底ボックス四隅の底面にやや大きめの４つの丸穴をくり抜く。水はけという点においては、上記（１）の蓋付の収容ボックスであり上記（４）の構成を持ち合わせているので、水が入り難い仕様になってはいるが、雨の日や梅雨時期に万一ボックス内に入ってしまった雨水や、ボックス内を掃除する際の洗剤水などは丸穴から勝手に地面に落ちるようになっているし、換気用という点においてのその丸穴は、夏場の暑さでボックス内が蒸れたりする可能性を回避・対処するためで役立つ事この上ないものとなっている幅広蓋付施錠防犯強化自転車用収容ボックスとしている。
【発明の効果】
【００２０】
以上の説明から明らかなように、本発明に当たっては次に列挙する効果が得られる。
（１）本発明の幅広蓋付施錠防犯強化自転車用収容ボックスは、ボックス型で各面は板状としたので、事故防止用光る塗料を含め種々の色づけ及び模様づけが可能であり、またＡ３サイズの書類入れとか、男性用の18.4型ワイドノートパソコンに対応した大型パソコンバッグでもその４隅が破れたりあるいは傷つくことがなく十分収容可能で買い替える必要が減り、トルクヒンジとフリーストップステーを設けることにより上蓋の急激な落下による手を挟むなどの故障や、人身の障害事故等が防止できる。
【００２１】
さらに、観音式開閉扉を設けることにより収容ボックスの中に入る大きさではあっても背丈が収容ボックス以上であり、全く折り曲げられない長尺部分を有する荷物本体はボックス内に収容し施錠し、その長尺部分を、開いた観音式開閉扉から出し、安心且つ安定走行が可能となる。また、観音式開閉扉は、上記（１）で説明した通りに、ロック蝶番により内側にしか開かないので、外からはこじ開けられず、外側から上に引き上げようとしても無理であり開けるのは全く不可能であり、ロック蝶番のボタンを押さない限りびくともしない。よって、ロック蝶番をきちっとロックしている限り収容ボックスの中の貴重品は盗まれる心配はない。
【００２２】
さらに、収容ボックスの開き口が運転者側・ハンドルバー側になっているので、従来の考案品にあるように向こう側から開けるタイプだと、人に開けられた時、蓋が運転者には一種の障壁、視界を遮られる障害物、管理し難い邪魔物になって、スピーディーに荷物等を管理し難い点が最大の欠点であったが、その点が解決できている。
【００２３】
また、ワンタッチボックスロックを採用すれば、収容ボックス本体は先ず簡易ロックされるが、専用鍵により、完全施錠できて走行可能なので、背後から忍び寄って来るひったくり被害から守られ、完全施錠は置き引き被害に対しても効力を発揮するので、荷物を収容ボックス内に収容したまま、安心して自転車から離れることができる。
【００２４】
さらに、単に木材・プラスチック・一部の金属性の材料で作製する蓋付のボックス状の収容ボックスであるというだけでなく、上蓋と底ボックスが接合する両側面の優雅な曲線ラインが斬新で心地よく魅力的とすることができるので、ピンクなどをメインに女性好みのパステルカラーの色付け・ワンポイントの薔薇の花柄などの模様入れが可能であることから、女性の心が湧きたつ色遣い・形状・仕様を通し、女性受けすることは必至で、今の我が国の閉塞感が、徐々に、一気に、大ブレークし、それが以外なところに派生し、ストレスが軽減されるなどの心理的・精神的効果が期待できる。
【００２５】
それにより、購買意欲が増進する事が予想され経済効果が生まれる。長年、全くもってデザインが一新したことの無いこれまでのバスケット型の自転車前かごからの買い替えにより、自転車新規製造の折には、最初からこのボックスを取り付けるので、先ず製造段階時点においては雇用の流動化が始まり、次に個々の販売台数においても売り上げが生じて、画期的な経済効果が期待できるのである。
【００２６】
（２）ウォールフックを設けることにより、平たく幅広で柔らかく滑りやすい荷物、一例を示すと、冬物のかさばるコートやシーズンオフの沢山の洋服とかをクリーニング店に出す場合や逆にクリーニング店から受け取って帰る場合、それらを入れた大袋の取っ手を、天蓋前方のウォールフックに引っ掛けて安定させて運ぶ事ができるので、もうハンドルバーにぶら下げて走行しなくて良い。
（３）底ボックスの上縁部内側に、底没區薄より一段高い位置に防水・防塵対策用のパッキン又は樹脂プレートを貼り付けることにより、雨に濡れず、パッキンにより防水は完璧であり、大事な荷物は埃も被らない。
（４）底ボックス底面隅には、水はけ・換気の役目を果たす、やや大き目の丸穴を２つ若しくは４つくり抜くようにするので、収容ボックスの中にうっかり水が入ってしまっても、その底面隅の水はけ用のやや大きめの丸穴から水は勝手に地面に落ちるし、換気用でもある丸穴なので、暑い夏など購入した食品の腐敗や臭いを軽減させることができる。
【図面の簡単な説明】
【００２７】
【図１】本発明を実施するための最良の第１の形態の斜視図である。
【図２】本発明を実施するための最良の第２の形態の斜視図である。
【図３】本発明を実施するための第２の形態の利用方法一例の参考図である。
【図４】本発明を実施するための第１と第２の形態の利用方法の参考図である。
【図５】本発明を実施するためのウォールフック利用方法の斜視図である。
【図６】本発明を実施するためのウォールフック利用方法の側面図である。
【図７】本発明を実施するためのフリーストップステーの拡大図である。
【図８】本発明を実施するためのロック蝶番と小扉板の拡大図である。
【図９】本発明を実施するためのトルクヒンジの回動の拡大図である。
【図１０】本発明を実施するための４隅の丸穴と４個の取付孔の拡大図である。
【図１１】本発明を実施するためのワンタッチボックスロックの拡大図である。
【図１２】本発明を実施するための防水・防塵対策用パッキンの拡大図である。
【図１３】本発明を実施したときの自転車右向きと左向きの想像外観図である。
【発明を実施するための形態】
【００２８】
以下に、本発明の幅広蓋付施錠防犯強化自転車用収容ボックスの一実施態様を、図面を参考に説明するが、本発明は実施態様のみに限定されず、特許請求の範囲内において種々の変形・変更ができ、それらのものも本特許権の範囲に入ることは明らかである。
【００２９】
「図１」は、ハンドルバー前輪上、且つ、前輪カバー上に配置し、底ボックス側面部１ａを上蓋側面部２ａで閉じ、施錠８し、上蓋天蓋部２ｂの観音式開閉扉３を閉じた状態の、本発明の幅広蓋付施錠防犯強化自転車用収容ボックス１００の斜視図である。底ボックス１は、左側面部にステー取付孔５ｂがあり、手前部上側中央には荷かごブラケット固定部材が取付られており、前面右寄りにワンタッチボックスロック８の♀鍵部が設置されている。上蓋２は、上蓋側面部２ａと上蓋天蓋部２ｂとからなっており、上蓋側面部２ａの左側面部にはステー取付孔５ｂ、前面右側下方にワンタッチボックスロック８の♂鍵部があり、上蓋天蓋部２ｂには、中央に、手前の小扉板３ａと向うの小扉板３ｂからなる観音式開閉扉３と、前面に、ウォールフック４が設置されていて、底ボックス側面部１ａの上方開口部近傍の外周部に下縁部が当節するとワンタッチボックスロック８により簡易ロックでき専用鍵で施錠できるようになっている。上蓋天蓋部２ｂの観音式開閉扉３は手前の小扉板３ａと向うの小扉板３ｂとが内側で専用金具でロックされているので、外側から開けられない構成となっている。
【００３０】
「図２」は、上蓋２が、トルクヒンジ６とステー５ａの回動で「収容ボックスの前方」から「収容ボックスの後方」に向かって９０度開いている状態で、上蓋２の天蓋部の観音式開閉扉３の二枚の子扉板である、手前の扉板３ａと向うの扉板３ｂも、底ボックス内側部１ｂに向かって９０度内側に開いた状態の、本発明の幅広蓋付施錠防犯強化自転車用収容ボックス１００の斜視図である。観音式開閉扉３の開き方であるが、図１３Ｂの状態の自転車に向かって立って、つまり、自転車前輪が左側、自転車後輪が右に来るように立って、ワンタッチボックスロック８を押して、上蓋２を「収容ボックスの前方」から「収容ボックスの後方」に向かって９０度開いたら、左手を上蓋天蓋部２ｂの外側に持って行き、右手指先でロック蝶番のボタン部分７ｂを押している間に、観音式開閉扉３の二枚の小扉板を内側に押すと、９０度内側に開く。もっと押すと１８０度開く。収容ボックス本体１００を９０度開くのは、底ボックス１と上蓋側面部２ａとを後方で留めているトルクヒンジ６であり、底ボックス側面部１ａと上蓋側面部２ａの左側に取り付けた金具ステー５ａは、上蓋２が突然落下するのを未然に防ぐためである。底ボックス側面部１ａの手前部上側中央の４つの孔は、収容ボックス本体１００と自転車のヘッドチューブとを固定するための荷かごブラケット取付孔１２である。
【００３１】
「図３」は、図２の底ボックス内側部１ｂの中に、取っ手の長いバッグを、例題的に入れて描いた斜視図である。
【００３２】
「図４」は、図３の観音式開閉扉３が内側に９０度開いた状態のまま上蓋２を閉め、観音式開閉扉３から、図３の取っ手の長いバッグの取っ手が出た状態の、斜視図である。
【００３３】
「図５」は、図１の収容ボックス１００の上に、平たく柔らかく重心の移動し易い大きい荷物の取っ手を交差させて、上蓋天蓋部２ｂの前面左右に設置してあるウォールフック４に引っ掛けた場合の、参考斜視図である。
【００３４】
「図６」は、図４の状態の収容ボックス１００の上に、平たく柔らかく重心の移動し易い大きい荷物の取っ手を、上蓋天蓋部２ｂの前面左右に設置してあるウォールフック４に、そのまま、右は右、左は左に引っ掛けた場合の、参考側面図である。
【００３５】
「図７」は、本発明の収容ボックス１００の、上蓋２と底ボックス１とを「収容ボックスの後方」で留める金具は、一般蝶番でなく、トルクヒンジを取り付けるが、より開閉の安全性を高め、上蓋２の急激な落下防止確保のために底ボックス側面部１ａと上蓋側面部２ａに取り付けたステー５ａの拡大図である。万一、本発明の収容ボックス１００にトルクヒンジでなく一般的な蝶番を付ける場合は、上蓋２が急に落下し易いので、ステーは、必ず、公知公用の「ソフトダウンステー」とか、「スプリングステー」とか、「ストッパー付ステー」また、「ダンパー式ステー」とか、「ワンタッチステー」等のステーを取りつけて、任意の位置で上蓋を保持できる機構にする。
【００３６】
「図８」は、観音式開閉扉３が内側に９０度開いた状態の手前の小扉板３ａと向うの小扉板３ｂと、それを固定させる専用金具であるロック蝶番７ａとロック蝶番のボタン部分７ｂとの拡大図である。この観音式開閉扉３は、上蓋を閉めた状態では収容ボックス１００の中に入り切らない物や、折り曲げるには無理がある物の先端を出せる開き扉である。この扉は買物を終えて家路に向かう走行中とか、通勤・通学・その他の走行中にバッグなどの取っ手を出すことができ大変便利であるが、一旦、家や駅や行き先や到着場所に着いたら、荷物は出して、或いは入れたままなら、更に必ず、上蓋天蓋部２ｂの内側からロック０度にして閉めておくようにする。観音式開閉扉３を開けっぱなしにしておくなら、荷物が無い時は盗まれるものが無いので一見安泰のように思われるが、悪い動機を持った人間に、観音式開閉扉３から収容ボックス１００の中に変なものを投げ込まれたり、汚されたり、ロック蝶番のネジを外されたりの予想外の悪戯を防ぐためにも、自転車を離れるときは、必ず、観音式開閉扉３は閉めておくようにとの注意書きを、製品の説明書には銘記するものとする。
【００３７】
「図９」は、トルクヒンジ６が、上蓋２を少ない力で開き、ゆっくり閉まっている時の、自由自在の角度・任意の角度で開閉している状態を描いた斜視図である。底ボックス１と上蓋２の接合部分に取り付ける蝶番であるが、一般的な蝶番は絶対に付けないものとする事由は、蓋２が何かのはずみや、切っ掛けでバタンと落ちて来て、手などを挟んで怪我をするのを防ぐためで、金具は必ず、公知公用の自由自在の角度・任意の角度を保持できる「フリーストップヒンジ」とか、蓋がゆっくり静かに開閉し、閉じる時のショック・衝撃音を吸収して蓋の故障や人身の障害事故等を防止でき安全対策を図ることができる「ソフトダウンヒンジ」とか、上蓋を少ない力で開けることができ、逆に、急に閉まることを防ぎ、ゆっくり蓋が閉まるタイプの「トルクヒンジ」とか、トルク調整機能付の「ダンパーヒンジ」等の蝶番で、必ず、ネジは収容ボックスの内側に来るものを２個以上は取り付ける。
【００３８】
「図１０」は、底ボックス内側部１ｂの水はけ用・換気用にくり抜いた底面の４隅の丸穴１０と、自転車前輪上に固定するための底面の４個の取付孔１１の拡大図である。ボックス型で上蓋２があるので雨の日など大事な荷物を雨水から守れるし、万一雨水等の水が浸入した場合、底ボックス内側部１ｂの底面の四隅の４個の丸穴１０から水が地面に落ちるようにした。４個の丸穴１０は時に底ボックス内側部１ｂの中を雑巾で拭き掃除する場合の洗剤水も勝手に地面に落ちるので、底ボックス内側部１ｂの底に溜まった水を雑巾に含ませては何度も絞ると言う繰り返し作業をする必要がなく、掃除のし易さはこの上ないものとなっている。８はワンタッチボックスロックの♀部である。
【００３９】
「図１１」は、底ボックス側面部１ａと上蓋側面部２ａを当接させ、収容ボックス１００を施錠した時のワンタッチボックスロック８の拡大図である。防犯対策最重要課題として一番大切なのが施錠であるが、公知公用のワンタッチボックスロックを取り付けることとした。上蓋を閉めるだけで簡易ロックされ、下方のボタンをワンプッシュするとキーパーが浮き上がりロックが解除されるという操作性の簡易さに加え、鍵による施錠も可能なので、スピーディー且つ安全さが確保され、上がオープンのバスケット型の前かごには無い防犯が確実となる。
【００４０】
「図１２」は、底ボックス側面部１ａ上縁部より約一センチ高く底ボックス内側部１ｂに貼りつける防水・防塵対策用のパッキン９の拡大図である。
【００４１】
「図１３Ａ」は、図１の本発明の収容ボックス１００を、自転車に取り付けた時の右向き自転車想像外観図である。
「図１３Ｂ」は、図２の本発明の収容ボックス１００を、自転車に取り付けた時の左向き自転車想像外観図である。
【産業上の利用可能性】
【００４２】
本発明は、幅広蓋付施錠防犯強化自転車用収容ボックスを製造する産業で利用される。
【符号の説明】
【００４３】
１        底ボックス
１ａ      底ボックス側面部
１ｂ      底ボックス内側部
２        上蓋
２ａ      上蓋側面部
２ｂ      上蓋天蓋部
３        観音式開閉扉
３ａ      手前の小扉板
３ｂ      向うの小扉板 
４        ウォールフック
５ａ      フリーストップステー
５ｂ      フリーストップステー取付孔
６        トルクヒンジ
７ａ      ロック蝶番
７ｂ      ロック蝶番のボタン部分
８        ワンタッチボックスロック
９        パッキン
１０      ４個の丸穴
１１      ４個の取付孔
１２      荷かごブラケット取付孔    
１３Ａ    右向き自転車／想像外観図
１３Ｂ    左向き自転車／想像外観図 
１００    幅広蓋付施錠防犯強化自転車用収容ボックス本体 
【要約】      （修正有）【課題】天蓋中央に内部からのみ開閉可能、高さのある野菜や背丈ある物品は先端を出せ施錠した儘走行可能、重心の移動し易い大袋はフックに引っ掛け固定させて安全に運ぶ事ができ、より防塵及び防水性に優れ、大型パソコンバッグでも四隅を傷つける心配がなく完全に入り切る横幅方向の長さを持ち、専用鍵で本格的施錠をすることができるセキュリティー強化した、幅広蓋付施錠防犯強化自転車用収容ボックスを提供する。【解決手段】ハンドル前輪上、かつ前輪カバー上に収納ボックス１００を設ける。収納ボックスは底ボックス部1を上蓋部２で閉じる構造とし、かつ、上蓋天蓋部２bの中央に観音式開閉扉３を、同前面にウオールフック４を、底ボックス側面部1aのハンドルバー側の上方開口部近傍にワンタッチボックスロック８を有する。【選択図】図１【図１】
0005277376.tif 000002
【図２】
0005277376.tif 000003
【図３】
0005277376.tif 000004
【図４】
0005277376.tif 000005
【図５】
0005277376.tif 000006
【図６】
0005277376.tif 000007
【図７】
0005277376.tif 000008
【図８】
0005277376.tif 000009
【図９】
0005277376.tif 000010
【図１０】
0005277376.tif 000011
【図１１】
0005277376.tif 000012
【図１２】
0005277376.tif 000013
【図１３】
0005277376.tif 000014